(57)【要約】【課題】アルミ押出成形により形成する屋根板材としての強度を保持する板厚を有した平坦部の裏面に複数のリブ部を設けて安価で高品質な一般住宅用の屋根板材を提供する。【解決手段】軒側端を下方に折曲げて軒側連結部（２０）を設けると共に、軒側端を上方に折曲げて棟側連結部（３０）を設けてなる平坦部（１１）の裏面に、一定間隔ごとに複数のリブ部（１３）を長手方向に平行に設けて一体に押出成形してある。このリブ部の頂部は平坦でもよいし、弧状部でもよい。【選択図】  図２
2004169486.tif 000002
【特許請求の範囲】
【請求項１】
軒側端を下方に折曲げて軒側連結部を設けると共に、棟側端を上方に折曲げて棟側連結部を設けた平坦部の裏面に、一定間隔ごとに複数のリブ部を長手方向に平行に設けて一体に押出成形してなることを特徴とする屋根板材。
【請求項２】
前記リブ部は、前記平坦部の裏面全体に該リブ部の横巾より狭い間隔毎に、外面が円弧状をした突部をそれぞれ平行に複数形成してなり、各リブ部の間には該リブ部の横巾より狭い間隔ごとに平坦な凹部を残存させて一体に押出成形してなることを特徴とする請求項１記載の屋根板材。
【請求項３】
前記リブ部は、前記平坦部の裏面全体に該リブ部の横巾より広い間隔毎に、外面が円弧状をした凹部をそれぞれ平行に複数形成し、各凹部の間には前記凹部の間隔より細巾で頂部を平坦に残存させて一体に押出成形してなることを特徴とする請求項１記載の屋根板材。
【発明の詳細な説明】
【０００１】
【発明の属する技術分野】
本発明は、アルミ合金材料を用いて押出成形により一体に形成した長尺なアルミ材からなる屋根板材に関するものである。
【０００２】
【従来の技術】
従来、アルミ屋根板は軽量であるにもかかわらず強度を有していて丈夫であり、しかも劣悪な気象条件のもとでも長期間腐食しにくいことから、耐久性を必要とする工場や体育館などの大型建造物をはじめ多くの公共施設の屋根板として広く使用されている。
【０００３】
図７に示すように、横葺式の屋根板は、屋根板６０の主要部である平坦部６１の一端（棟側）を上方に立ち上がらせて立上部６２を設け、該立上部の上端を外側に略水平に折り曲げて棚部６３を形成し、該棚部の先端を上方に折り曲げて壁部６４と傾斜部６５と掛止片部６６を連設してある。前記棚部６３と壁部６４と傾斜部６５と掛止片部６５とで囲んで嵌合凹部６７を設け、該嵌合凹部は前記平坦部６１の方向に開口して内部に他の屋根板の一端を該平坦部側から収容させて連結させるものである。
【０００４】
前記屋根板６０の平坦部６１の他端（軒先側）を下方に折り曲げて形成した前面部７１の下端を前記平坦部側に折り返して底面部７２を設け、該底面部の先端に連続して上方に斜状に折り曲げた挿入片部７３を一体に形成してある。（例えば、特許文献１参照）。
【０００５】
【特許文献１】
特開平１０−２６６４７９号（第２頁、第２図）。
【０００６】
【発明が解決しようとする課題】
しかし、図７に示した屋根板６０は長尺に形成してあり、その板厚は一定の規格サイズに形成されていて一般住宅用として使用すると原材料のコストが高くなりすぎるため、一般住宅用の屋根板材として採用したくてもなかなか採用しにくいという問題点があった。
【０００７】
一般住宅の建物は、工場や体育館などの大型建築物に比べてその建物の規模は一般に小さい。そこで屋根板の厚みを薄くして製造単価を下げることも可能であるが、単に屋根板の板厚を薄く形成するとアルミ屋根板材の強度が弱くなるという問題点がある。そこで、該屋根板に使用するアルミ材の使用量を節約し、該屋根板の平坦部の裏面に多数の補強用のリブ部を設け、それによって屋根板の強度を損わずにコストダウンを図ることのできる一般住宅用の屋根板を提供することを目的とする。
【０００８】
【課題を解決するための手段】
本発明は、軒側端を下方に折曲げて軒側連結部を設けると共に、棟側端を上方に折曲げて棟側連結部を設けた平坦部の裏面に、一定間隔ごとに複数のリブ部を長手方向に平行に設けて一体に押出成形してなることを特徴とする。前記リブ部は、前記平坦部の裏面全体に該リブ部の横巾より狭い間隔毎に、外面が円弧状をした突部をそれぞれ平行に複数形成してなり、各リブ部の間には該リブ部の横巾より狭い間隔ごとに平坦な凹部を残存させて一体に押出成形してもよい。また、前記平坦部の裏面全体に該リブ部の横巾より広い間隔毎に、外面が円弧状をした凹部をそれぞれ平行に複数形成し、各凹部の間には前記凹部の間隔より細巾で頂部を平坦に残存させて一体に押出成形してもよい。
【０００９】
上記の構成であるから、平坦部の裏面の略全面に多数のリブ部を弧状に突出させた場合には、リブ部によって屋根板材の強度を損うことがない。また両側に凹部を設けることによってリブ部を残存させて形成すると、アルミ材料を節約すると共に、該リブ部によって屋根板材の強度を損なうことなく保持できる。このように、外観は何ら変化がなく、屋根葺きした屋根板材の平坦部上を作業員が作業のために歩行移動したり、経年変化による屋根板材がゆがんだりへこんだりするのを防止することができる。
【００１０】
【発明の実施の形態】
本発明を図面により説明すると、図１は本発明にかかる屋根板材を使用して屋根葺きした状態を示す屋根の一部省略した平面図、図２は本発明にかかる屋根板材を端面からみた略図、図３は本発明にかかる屋根板材の第１の実施形態における一部拡大断面図、図４は本発明にかかる屋根板材の第２の実施形態における一部拡大断面図である。
【００１１】
１０は、アルミ押出成形により同一断面であって長尺に形成した屋根板材である。この屋根板材１０の主要部である平坦部１１の裏面略全体に、長手方向に多数のリブ部１３、１３ａをそれぞれ平行に一定間隔ごとに形成してある。このリブ部には、各リブ部１３を突出させて設ける場合と、各リブ部１３ａの両側に円弧状の凹部１４ａを設けることにより平坦な裏面を残存させて形成する場合とがある。
【００１２】
図３は、本発明の第１の実施形態を示したもので、一定の規格サイズをした第１の板厚５０に形成した屋根板材１０の主要部である平坦部１１の裏面１１ｃの略全体に、後記するリブ部よりやや幅広い横巾をした第１の間隔５２と、該間隔５２より狭い横巾をした第２の間隔５５とを交互に連続して多数形成してある。広い横巾の間隔５２の巾（長さ）で、外面が滑らかな弧状に突出させて形成した補強用のリブ部１３の各両側端は、前記平坦部の裏面１１ｃを残存させた凹部１４の両端に連続してある。
【００１３】
各リブ部１３の間には、該リブ部１３の幅より狭くて表面が平坦な凹部１４を残存させてある。この平坦部１１の第１の板厚５０は一定の規格サイズに形成してあり、外面が弧状をした各リブ部１３の頂部は、平坦な裏面１１ｃである凹部１４から一定の割増距離５１の高さに突設させて円弧状に形成してある。即ち、リブ部１３の横巾は、前記凹部１４より広く形成してある。
【００１４】
この屋根板材１０の板厚５０は、一定の規格サイズに形成してあり、各凹部１４の第２の板厚５０ａは、前記第１の板厚５０よりやや薄く形成し、即ち、前記板厚５０より割増距離５１の長さ分だけ短く形成し、それによってアルミ材の使用量を節約したにもかかわらず、該リブ部を多数設けたことにより屋根板材の強度を損うことがないという利点を有している。
【００１５】
リブ部１３は外方に弧状に突出させて形成し、且つ、鋭角部分を有しておらず、該リブ部を形成する弧状部分の両側端は、平坦部の裏面１１ｃを残存させた平坦な凹部１４に連結してあるので、外力が局部的に集中する鋭角部分を該リブ部は有していないため強度の劣化を防止できる。このように、アルミ材の材料節約を図ると共に、リブ部を設けたことにより強度を損わずに耐久年数を延長させて結果的にコストダウンを図ることのできる屋根板材を得ることができる。
【００１６】
図４は、本発明の第２の実施形態を示すもので、一定の規格サイズをした第１の板厚５０に形成した屋根板材１０ａの平坦部１１ａの裏面全体に、細巾のリブ部１３ａの横巾をした第２の間隔５２ａと、該間隔５２ａより幅広にした凹部１４ａの横巾をした間隔５５ａとを交互に連続して形成してある。細巾にして外面が平坦なリブ部１３ａの両側端には前記リブ部１３ａより幅広に形成したなだらかな弧状をした凹入状の凹部１４ａをそれぞれ設け、平坦部１１ａの裏面１１ｃに残存させると共に頂部が平坦であって細巾のリブ部１３ａをそれぞれ設け、このリブ部と凹部とを交互に配して連続して多数設けてある。
【００１７】
幅広な凹入状の凹部１４ａの両端は、細巾で上面が平坦なリブ部１３ａの両側端に連続してある。この場合、平坦部１１ａの板厚５０は規格サイズに形成してあり、リブ部１３ａの頂部は該平坦部の裏面を残存させて平担に形成してある。各リブ部１３ａの両側端にはそれぞれなだらかな弧状にした凹入状の凹部１４ａを連続して設けてあるため、該凹部の底面と平坦部１１ａとの間の第１の板厚は割増距離５１ａだけ短くして薄く形成してあり、使用するアルミ材の使用量を節約することができる。
【００１８】
平坦部１１ａの裏面には、一定間隔毎に多数設けた各リブ部１３ａの両側端には凹入状をした凹部１４ａをそれぞれ設け、各リブ部の側面部分は滑らかなアーチ状の曲面に形成して鋭角部分を有していないので、該リブ部の側面部分に力が局部的に集中することがない。また、前記のようにリブ部１３ａの板厚は、平坦である第１の板厚５０と同じであり、各リブ部の間に前記凹入状の凹部１４ａを設けることによってアルミ材の材料の使用量を減少させることができ、また、リブ部を設けたことにより屋根板材の強度を劣化させることなく材料コストを下げることができる。
【００１９】
この種の屋根板材は、屋根上に設置してあるため夏季は強力な太陽光の照射により加熱され、冬季は雪や氷などの低温及び積雪による荷重が加わり、さらには一定期間ごとに行う保守点検作業により作業員が該屋根板材上を歩行する際に作業員の体重が加わることなどの経年変化に対する変化に対して、リブ部を具えた屋根板材は強度を損うことがない。
【００２０】
図２において、平坦部１１の軒側端には、端部を下方に折り曲げて軒側連結部２０を形成し、また、該平坦部の棟側には、端部を上方に折り曲げて棟側連結部３０を形成してある。前記平担部１１の裏面には、図３、４に示したように凹部１４とリブ部１３または１３ａを交互に位置させて長手方向に平行に形成してある。即ち、アルミ合金の板厚の部分的な削減による強度が弱くならないようにリブ部を設け、しかも突出したリブ部の側面部分はアーチ状の曲面に形成して力が一点に集中する鋭角部を設けてないため強度を損うことなく保持する機能を有している。
【００２１】
軒側連結部２０は、平坦部１１の軒側一端を下方に折り曲げて形成した前面部２１の下端を平坦部側に折り曲げて底面部２２を形成し、該底面部の一端を上方に斜状に立上らせて掛止片２４を形成してある。
【００２２】
棟側連結部３０は、平坦部１１の棟側一端の下支点１５から上方に折り曲げて形成した立上部３１の上端を棟側に折り曲げて水平な棚部３２を形成し、該棚部の先端を更に上方に折り曲げて壁部３３を設け、該壁部の先端を平坦部側に折り曲げた傾斜部３４の先端に掛止部３５を連続して一体に形成してある。この棚部３２と壁部３３と傾斜部３４との内側には、他の屋根板材の軒側連結部２０を係止する係止受部３６を設けてある。
【００２３】
なお、屋根板材１０の平坦部１１の裏面には、必要に応じて発泡性樹脂材などからなる断熱部材を接着させてもよく、その場合には、平坦部１１の裏面全体に接着することにより、外気の断熱、雨音などの防音、防湿を図るとともに、室内の保温効果を向上させることができる。
【００２４】
４０はアルミ押出成形により形成した吊子片で、図５に示すように、基板４１の軒側先端をクランク形に折り曲げて浮かせた支持受部４２を形成し、該支持受部は先端を下方に折り曲げて舌部４３を設けてある。前記基板４１の棟側に平坦な定着部４４を形成し、この基板４１の略中央垂直方向に立上部４６を設け、該立上部の上方を軒側に折り曲げ、先端に前記屋根板１０の棟側連結部３０の掛止部３５を係止する鉤部４７を設けてある。
【００２５】
本発明に係る屋根板材１０と吊子片４０との連結作業を説明すると、図６において、第１屋根板材１０ａの掛止部３５ａを吊子片４０ａの鉤部４７ａに係止させ、平坦部１１の下支点１５ａを吊子片４０ａの支持受部４２ａ上に支持し、壁部３３ａを立上部４６ａに当接させて棟側連結部３０ａを吊子片４０ａに支持させてある。第１屋根板材１０ａの棟側連結部３０ａを支持させた吊子片４０ａは、定着部４４ａを野地板７５に接地させてねじ４８で固定してある。
【００２６】
第２屋根板材１０ｂの連結は、第２屋根板材の掛止片２４ｂを前記第１屋根板１０ａの係止受部３６に掛止して第２屋根板材１０ｂの掛止部３５ｂを吊子片４０ｂの鉤部４７ｂに係合させ、平坦部１１の下支点１５ｂを支持受部４２ｂ上に位置させる。支持受部４２ｂは、先端の舌部４３ｂを野地板７５から浮かせて弾撥力を設け、平坦部１１の下支点１５ｂが支持受部４２ｂに当接した際、該下支点は支持受部４２ｂの舌部４３ｂに案内されながら支持受部４２の弾発力に抗して位置させてある。下支点１５ｂが支持受部４２ｂに支持されると同時に、壁部を立上部４６ｂに当接して棟側連結部３０ｂは吊子片４０ｂに係止させられる。
【００２７】
第２屋根板材１０ｂの棟側連結部３０ｂを係止させた吊子片４０ｂは、前記第１屋根板１０ａの吊子片４０ａと同様に、吊子片４０ｂの定着部４４ｂを野地板７５に接地させてねじ４８で固定する。
【００２８】
第３屋根板材１０ｃの連結は、第２屋根板材１０ｂの棟側連結部３０ｂに設けた係合受部３６に第３屋根板材１０ｃの掛止片２４ｃを係止し、第３屋根板材の棟側連結部に前記第２屋根板材１０ｂと同様に、隣接させた他の吊子片（図示せず）を取り付け、順次、棟側方向に前記工程を繰返すことにより屋根葺きを行うものである。
【００２９】
前記のように、屋根板材１０の平坦部１１の裏面に一定間隔ごとにリブ部１３を設けて該平坦部を補強したため、該平坦部上に人が乗ってもゆがんだりへこんだりする変形を防止できる。この平坦部が凹んだりすると、該凹みに雨水が溜まって経年劣化が早まってしまうが、該平坦部１１は裏面に補強用のリブ部を設けてあるので屋根板材の耐久性を高めることができる。
【００３０】
【発明の効果】
本発明は、屋根板材の平坦部の裏面に一定間隔ごとに多数のリブ部を連続して形成したことにより耐久性を損わずに安価で高品質な屋根板材を提供することができる。さらに、該平坦部の裏面には一定間隔にリブ部を設けることにより強度を損うことなく保持できるので、平坦部上に作業員が乗って移動しながら作業しても該平坦部がゆがんだりへこむのを防止して屋根板材の耐久年数を延ばしてコストダウンを図ることができる。
【図面の簡単な説明】
【図１】本発明に係る屋根板材を使用して屋根葺きした状態を示した屋根の一部省略した平面図である。
【図２】本発明に係る屋根板材の端面方向から見た略図である。
【図３】本発明に係る第１の実施形態における屋根板材の一部拡大断面図である。
【図４】本発明に係る第２の実施形態における屋根板材の一部拡大断面図である。
【図５】吊子片の端面図である。
【図６】屋根板材の連結状態を示す要部断面図である。
【図７】従来の屋根板材の端面図である。
【符号の説明】
１０    屋根板材
１０ａ  屋根板材
１１    平坦部
１１ａ  平坦部の裏面
１３    リブ部
１３ａ  リブ部
１４    凹部
１４ａ  凹部
２０    軒側連結部
３０    棟側連結部
４０    吊子片
５０    板厚
５１    割増距離
５２    間隔
５２ａ  間隔
５５    間隔
５５ａ  間隔
【図１】
2004169486.tif 000003
【図２】
2004169486.tif 000004
【図３】
2004169486.tif 000005
【図４】
2004169486.tif 000006
【図５】
2004169486.tif 000007
【図６】
2004169486.tif 000008
【図７】
2004169486.tif 000009